【手続補正書】
【提出日】平成21年11月18日(2009.11.18)
【手続補正１】
【補正対象書類名】特許請求の範囲
【補正対象項目名】全文
【補正方法】変更
【補正の内容】
【特許請求の範囲】
【請求項１】
近位部（１１１）及び遠位挿入部（１１’）を有し、身体開口部を通じて導入するための遠位端（１１”）を備えるとともに胃腸管に到達するうえで十分な長さを有する細長い可撓性胃腸内視鏡と共に使用するためのオーバーザスコープ型ステントイントロデューサであって、
遠位の第１の端部分（２２、１２２）、近位の第２の端部分（２４、１２４）、内視鏡挿入部を摺動自在に収容するよう構成されるとともに内視鏡挿入部係合内表面（３４、１３４）を有するチャンネル（３２、１３２）を間に画定する前記第１の端部分に形成される開口（２８、１２８）及び前記第２の端部分に形成される開口（３０、１３０）を有する内部材（２０、１２０）であって、前記内部材の周りの周方向に延びる外表面（３６、１３６）、前記遠位の第１の端部分に配置されて前記内部材（２０、１２０）の遠位に配置されるステント（１２）の近位軸方向移動を規制する遠位ステント当接制止部（３８、１３８）であって、前記ステントが前記内部材遠位の第１の端部分（２２、１２２）の遠位に留まり、前記外表面（３６、１３６）を覆わないようにする遠位ステント当接制止部（３８、１３８）を有する内部材（２０、１２０）、
遠位部（５２、１５２）、近位部（５４、１５４）、間に前記内部材の一部分（４２、１４２）を摺動自在に収容するサイズの通路（６２、１６２）を画定する遠位開口（５８、１５８）及び近位開口（６０、１６０）を有し、前記内部材と略同心とされ前記内部材一部分の外表面上を軸方向に摺動自在な外部材（５０、１５０）であって、前記外部材の遠位部の前記通路に内部チャンバ（６４、１６４）が配置され前記内部チャンバがステントを解放可能に収容するよう構成される外部材（５０、１５０）、
前記外部材の近位部に配置されるとともに前記外部材遠位部内部チャンバを展開前位置（７２、１７２）と展開位置（７４、７６、１７４、１７６）との間で移動させるよう構成される引き込み部材（７０、１９０）、及び
前記内部材の第２の端部分に配置され、前記内部材遠位の第１の端部分を遠位方向に付勢し、且つ前記外部材内部チャンバが前記内部材遠位の第１の端部分に沿って近位方向に引かれる結果として前記ステント当接制止部が脱出するのを阻止するよう構成される押し込み部材（４０、１８０）、
を有し、前記イントロデューサが好適に細長く、前記胃腸内視鏡挿入部近位部又はその近傍の位置から前記胃腸内視鏡挿入部遠位端又はその近傍の位置まで延在し、
前記内部材が、前記胃腸内視鏡挿入部遠位端の長さの少なくとも一部分にわたる外部に略同心状に着脱可能に作動連結されるよう構成される、イントロデューサ。
【請求項２】
前記内部材が、前記遠位の第１の端部分（２２）と前記近位の第２の端部分（２４）との中間に延在する可撓性中間部分（２６）をさらに有する細長チューブ状内部材（２０）である、請求項１に記載の装置。
【請求項３】
前記内部材の第２の端部分（２２）と内視鏡挿入部近位部（１１１）とを着脱可能に作動連結するよう構成されるラッチ部材（２３０、２４０、２５０、２６０）をさらに有する、請求項２に記載の装置。
【請求項４】
前記外部材が、前記遠位部（５２）と前記近位部（５４）との中間に延在する可撓性中央部（５６）をさらに有する細長チューブ状外部材（５０）である、請求項２に記載の装置。
【請求項５】
前記外部材近位部（５４）と前記内部材の第２の端部分外表面（３６）とを着脱可能に作動連結するよう構成されるラッチ部材（２３０、２４０、２５０、２６０）をさらに有する、請求項４に記載の装置。
【請求項６】
前記内部材の内視鏡挿入部係合表面（３４）が、内視鏡挿入部（１１’）の大部分にわたり略同心状に配置されるよう構成される摺動自在に係合可能な表面である、請求項２に記載の装置。
【請求項７】
前記内部材の内視鏡挿入部係合表面（３４）が、内視鏡挿入部（１１’）の大部分にわたり略同心状に配置されるとともに前記内部材の内視鏡挿入部係合表面と前記内視鏡挿入部を着脱可能に作動連結する摩擦嵌め係合を有するよう構成される、請求項２に記載の装置。
【請求項８】
前記内部材が端部キャップ内部材（１２０）であるとともに前記外部材が端部キャップ外部材（１５０）である、請求項１に記載の装置。
【請求項９】
前記内部材（１２０）及び前記外部材（１５０）を摺動自在に着脱可能に連結する外部材位置合わせ要素（１６１、１６３）及び内部材位置合わせ要素（１３１、１３３）をさらに有する、請求項８に記載の装置。
【請求項１０】
前記端部キャップ内部材（１２０）が、前記第１の端部遠位開口（１２８）から前記第２の端部近位開口（１３０）まで延在して内視鏡挿入部外周（１１４）を着脱可能に挟圧するよう構成される切欠き部分（１３１）を有する挟圧部材である、請求項８に記載の装置。
【請求項１１】
前記端部キャップ外部材（１５０）が引き込み部材連結体（１７０）を有する、請求項８に記載の装置。
【請求項１２】
前記引き込み部材が、引き寄せ部近位端（１９２）、可撓性中間部分（１９４）、及び前記外部材の引き込み部材連結体（１７０）に固定される遠位接続端（１９６）を有する細長引き込み部材（１９０）である、請求項１１に記載の装置。
【請求項１３】
前記押し込み部材が、前記内視鏡挿入部の外部に配置されるよう構成されるとともに、近位端（１８２）、可撓性中間部（１８４）、及び前記内部材（１２０）と連通する遠位端（１８６）を有する細長押し込み部材（１８０）であり、引き込み部材収容通路（１８８）を有する、請求項１２に記載の装置。
【請求項１４】
前記引き込み部材（１９０）及び前記押し込み部材（１８０）の双方が内視鏡挿入部の外部に配置されながら、前記引き込み部材が少なくとも部分的に前記押し込み部材通路内に配置されるような構成で前記細長引き込み部材（１９０）が前記押し込み部材通路（１８８）に摺動自在に収容される、請求項１３に記載の装置。
【請求項１５】
ガイド部分（２０２）及びベース（２０６）を有する支持体（２００）をさらに備え、前記ガイド部分が近位開口（２０３）及び遠位開口（２０４）を有するとともに前記細長押し込み部材（１８０）の一部を摺動自在に収容する通路（２０５）を画定し、前記ベースが内視鏡係合表面（２０７）を有する、請求項１３に記載の装置。
【請求項１６】
前記外部材内部チャンバ（６４、１６４）に配置されるステント（１２）をさらに有する、請求項１に記載の装置。
【請求項１７】
挿入部遠位端（１１”）及び挿入部近位部（１１１）を有する細長内視鏡挿入部（１１’）を備える内視鏡をさらに有し、前記挿入部遠位端が長手方向軸（１１２）を有する、請求項１〜１６のいずれか一項に記載の装置。
【請求項１８】
前記ステント（１２）が前記内視鏡挿入部遠位端（１１”）及び長手方向軸（１１２）の周りの周方向に配置される、請求項１７に記載の装置。
【請求項１９】
前記ステント（１２）が前記内視鏡挿入部遠位端（１１”）及び前記長手方向軸（１１２）とオフセット配置される、請求項１７に記載の装置。
【請求項２０】
前記内視鏡が、胆管鏡（ｃｈｏｌｅｄｏｓｃｈｏｓｃｏｐｅ）、結腸鏡、十二指腸内視鏡、超音波内視鏡、腸内鏡、胃鏡、及びＳ状結腸鏡からなる群より選択される、請求項１７に記載の装置。
【請求項２１】
前記内視鏡が、口を通じて導入されるよう構成されるとともに幽門に到達するうえで十分な長さを有する、請求項１７に記載の装置。
【請求項２２】
前記内視鏡が、肛門を通じて導入されるよう構成されるとともに盲腸に到達するうえで十分な長さを有する、請求項１７に記載の装置。